(57)【要約】  バネ部材（１２）で接続された外殻（Ｏ）と、内殻（Ｉ）とを含むパケット。外殻（Ｏ）は内殻（Ｉ）を収容するための空洞部を形成し、底壁（４Ｂ）と、この底壁の各縁部から直立した前壁（１）と、２つの側壁（３Ｒ、３Ｌ）とを含む。内殻（Ｉ）は、前壁（１１）と、後壁（７）と、２つの側壁（８Ｒ、８Ｌ）とを含み、この後壁は外殻の底壁に接続する。バネ部材（１２）は、第１ヒンジ（Ｈ１）によって内殻の前壁（１１）の下方部分でヒンジ式に接続し、且つ第２ヒンジ（Ｈ２）によって外殻の前壁の内面とヒンジ式に接続している。内殻（Ｉ）は、第３ヒンジ（Ｈ３）によってこの底壁のところで外殻（Ｏ）とヒンジ式に接続し、内殻がバネ作用によって閉鎖位置および開放位置の間を移動できるようになっている。【特許請求の範囲】
【請求項１】
バネ部材で接続された外殻と内殻とを含み、
外殻は、内殻を収容する空洞部を形成し、４つの側部を有する底壁と、この底壁の各縁部から直立した前壁と２つの側壁とを含み、
内殻は前壁と、後壁と、２つの側壁とを含み、この後壁が外殻の底壁に接続しており、
バネ部材は、内殻の前部の下方部分で、第１のヒンジによって内殻の前壁に対してヒンジ式に取り付けられ、かつ、バネ部材の上方縁部で、第２のヒンジによって外殻の頂部から離れた外殻の前壁の内方面のある位置にヒンジ式に接続されており、
内殻は前記外殻の底部壁で第３のヒンジによって外殻とヒンジ式に取り付けられており、
ａ）第１ヒンジから第２ヒンジまでの間隔およびｂ）第１ヒンジから第３ヒンジまでの間隔の合計が第２ヒンジから第３ヒンジまでの間隔より長くなっており、これにより
内容物の出し入れが可能な第１の開放位置と、内容物の出し入れが不可能な第２の閉鎖位置の間で内殻がバネ作用によって移動する、パケット。
【請求項２】
前記第３ヒンジが、前記前壁および側壁が直立していない前記底壁の前記縁部に位置することを特徴とする請求項１に記載のパケット。
【請求項３】
前記第３ヒンジが、前記前壁が直立している前記底壁の縁部およびその反対の位置にある縁部と平行だが、これら縁部の中間にあることを特徴とする請求項１に記載のパケット。
【請求項４】
前記外殻が、前記内殻が閉鎖位置にあるとき、前記内殻の頂部に滑り嵌合する頂壁を有することを特徴とする請求項１、２または３に記載のパケット。
【請求項５】
前記外殻の頂壁が、前記外殻の前壁および側壁と同延で、且つこれらと接続していることを特徴とする請求項４に記載のパケット。
【請求項６】
前記内殻の後壁がその前記側壁より僅かな分Ｘだけ長く、これによって、前記内殻が前記バネ部材によってその開放位置から閉鎖位置に移動した際、バネ部材が前記外殻の前記頂壁を前記内殻の頂部の上方に持ち上げられるように、第３ヒンジに隣接した長さＸの後壁部分を設けることを特徴とする請求項４または５に記載のパケット。
【請求項７】
前記内殻がその前記後壁および側壁と接続し、前記後壁と同延の頂壁を有することを特徴とする請求項１から６のいずれか１項に記載のパケット。
【請求項８】
前記内殻の前壁の頂部が、前記内殻の頂壁から離れて位置し、これによって、前記パケットの内容物を出し入れするための開口部を形成し、この開口部が、前記内殻が閉鎖位置にあるとき、前記外殻によって閉鎖されることを特徴とする請求項７に記載のパケット。
【請求項９】
前記内殻の頂壁が前記内殻の前記内容物の出し入れを容易にするための窪みを有することを特徴とする請求項７または８に記載のパケット。
【請求項１０】
前記第１ヒンジのところに、前記内殻の前壁の前記下方部分の補強部を含むことを特徴とする請求項１から９のいずれか１項に記載のパケット。
【請求項１１】
前記バネ部材の長さが、前記内殻が開放位置にあるとき、前記外殻に対して５度から１８０度の範囲の角度となるような長さであることを特徴とする請求項１から１０のいずれか１項に記載のパケット。
【請求項１２】
前記バネ部材の長さが、前記内殻が開放位置にあるとき、前記外殻に対して４０度から９０度の範囲の角度となるような長さであることを特徴とする請求項１から１０のいずれか１項に記載のパケット。
【請求項１３】
前記バネ部材の長さが、前記内殻が開放位置にあるとき、前記外殻に対して２０度から４０度の範囲の角度となるような長さであることを特徴とする請求項１から１０のいずれか１項に記載のパケット。
【請求項１４】
前記パケットが厚紙からなり、前記バネ部材の厚紙の繊維方向が前記内殻および外殻の側壁と平行であることを特徴とする請求項１から１３のいずれか１項に記載のパケット。
【請求項１５】
前記バネ部材が、前記第１ヒンジによって、前記バネ部材の下方縁部のところで、前記内殻の前壁の下方部分とヒンジ式に接続していることを特徴とする請求項１から１４のいずれか１項に記載のパケット。
【請求項１６】
前記内殻の後壁が前記外殻の底壁と一体となっていることを特徴とする請求項１から１５のいずれか１項に記載のパケット。
【請求項１７】
前記バネ部材および前記内殻の前壁が１つのブランクから一体に形成され、
前記外殻および少なくとも前記内殻の後壁が別のブランクから一体に形成されていることを特徴とする請求項１から１６のいずれか１項に記載のパケット。
【請求項１８】
前記パケットが細長い物品の束を収容するものであり、前記１つのブランクが、前記束の底部に隣接して折るように配置されたフラップを含み、前記パケットを組み立てる間、前記１つのブランクに対する前記束の位置決めを補助することを特徴とする請求項１３に記載のパケット。
【請求項１９】
前記バネ部材および前記内殻の前壁が１つのブランクから一体となって形成されていることを特徴とする請求項１から１５のいずれか１項に記載のパケット。
【請求項２０】
前記外殻が１つのブランクから形成され、前記内殻の少なくとも一部が別のブランクから形成され、前記１つのブランクと別のブランクが互いに前記底壁で固定されていることを特徴とする請求項１から１５、および１９のいずれか１項に記載のパケット。
【請求項２１】
前記第１ヒンジが、前記バネ部材と第４のヒンジのところで前記内殻の前壁にヒンジ式に接続しているさらなる部材との間に位置することを特徴とする請求項１から１４のいずれか１項、または請求項１から１４のいずれか１項（請求項１５は除く）に従属する場合は、請求項１６、１７または１８のいずれか１項に記載のパケット。
【請求項２２】
前記第２ヒンジが前記バネ部材と前記内殻の前壁の内表面に固定されているフラップとの間に位置し、前記フラップが前記ヒンジから前記底壁へ延びていることを特徴とする請求項１から２１のいずれか１項に記載のパケット。
【請求項２３】
ユーザが指で前記内殻の前壁に触れて、前記内殻を閉鎖位置から開放位置へ移動させることができるように前記外殻の前壁に開口部が配置されている、および、前記バネ部材の上方縁部が前記開口部と前記底壁との間に位置することを特徴とする請求項１から１４のいずれか１項に記載のパケット。
【請求項２４】
ユーザが前記内殻の側壁を掴んで、これを前記外殻から取り出せるように、前記外殻の側壁それぞれが窪みを含むことを特徴とする請求項１から１４のいずれか１項に記載のパケット。
【請求項２５】
本明細書中で図１から４を参照して説明したまたは添付の図５、図１１および／または図１３によって任意に変更されたパケット。
【請求項２６】
本明細書中で図７から１０を参照して説明したまたは添付の図５、図１１および／または図１３によって任意に変更されたパケット。
【請求項２７】
本明細書中で図１２Ａおよび１２Ｂを参照して説明したまたは添付の図５、図１１および／または図１３によって任意に変更されたパケット。
【請求項２８】
喫煙品を収容することを特徴とする請求項１から２７のいずれか１項に記載のパケット。
【発明の詳細な説明】
【技術分野】
【０００１】
本発明はパケット、このパケット製造用のブランクおよびこのパケットの製造方法に関する。本発明の実施態様は、例えば喫煙品などの細長い円筒状物品向けパケットに関するが、本発明はこのようなパケットまたは物品に限定されるものではない。
【背景技術】
【０００２】
下記特許文献１および対応特許文献２は、外殻を有する紙巻きタバコ用パケットを開示し、この外殻は長方形の底壁と、この底壁から直立した２つの側壁および１つの前壁と、この前壁と一体となり、これに接続する長方形の頂壁とを含む。外殻は内殻を収容する空洞部を形成する。内殻は２つの側壁と、前壁および後壁とを有する。内殻は複数の紙巻きタバコを収容し、これら紙巻きタバコの下方端部は外殻の底壁に支持される。内殻の後壁は外殻と一体になって、外郭の底壁縁部でヒンジ式に連結している。コネクタは、内殻の前壁の頂部と外殻の前壁の内側の頂部を接続する役割を果たす。コネクタによって内殻は空洞部に収容される閉鎖状態の第１の位置から、空洞部から内殻が突出する開放状態の第２の位置へ移動することができる。第１位置では紙巻きタバコの出し入れはできない。第２位置では紙巻きタバコの出し入れができる。外殻前壁の開口部によって、ユーザは内殻を指で押して内殻前壁を第１位置から第２位置に移動させることができる。このパケットは１枚のブランクから形成される。
【０００３】
【特許文献１】ドイツ実用新案第２８０２８９７号明細書
【特許文献２】オーストラリア特許出願公告第７６６６０３号明細書
【０００４】
Ｇｅｒｏによる特許文献３は、外殻とこの外殻の底壁の１つの縁部に沿って外殻に対してヒンジ式に取り付けられた内殻とを有するパケットを開示している。スナップ式の係止部材は、内殻の前壁の頂部と外殻の前壁の内側の頂部を接続する。このスナップ係止部材によって、内殻は空洞部に収容される閉鎖状態の第１の位置から、空洞部から突出する開放状態の第２の位置へ移動することができる。第１位置では紙巻きタバコの出し入れはできない。第２位置では紙巻きタバコの出し入れができる。このスナップ係止部材は内殻と共同で、内殻が第１および第２位置にしっかりと嵌合されるスナップ係止作用をもたらすが、内殻は押されるとこれらの位置の間をバネ作用によって移動する。ある例では、内殻および外殻は１枚の一体型のブランクで形成され、スナップロック部材は別のブランクで形成される。
【０００５】
【特許文献３】英国特許第２２５４３１４号明細書
【発明の開示】
【発明が解決しようとする課題】
【０００６】
上述の従来の提案と比べて、改良されたバネ作用によって内殻が閉鎖位置と開放位置の間を移動し、これによってパケットの内容物の出し入れを改良することができる、内殻と外殻とを有するパケットを提供することが望まれている。
【０００７】
本発明の一態様によれば、
バネ部材で接続された外殻と内殻とを含むパケットが提供され、
この外殻は、内殻を収容する空洞部を形成し、４つの側部を有する底壁と、この底壁の各縁部から直立した前壁と２つの側壁とを含み、
内殻は前壁と、後壁と、２つの側壁とを含み、この後壁が外殻の底壁に接続しており、
バネ部材は、内殻の前部の下方部分で、第１のヒンジによって内殻の前壁に対してヒンジ式に取り付けられ、かつ、このバネ部材の上方縁部で、第２のヒンジによって外殻の頂部から離れた外殻の前壁の内方面のある位置にヒンジ式に接続されており、
内殻は外殻の底部壁で第３のヒンジによって外殻とヒンジ式に取り付けられており、
ａ）第１ヒンジから第２ヒンジまでの間隔およびｂ）第１ヒンジから第３ヒンジまでの間隔の合計が第２ヒンジから第３ヒンジまでの間隔より長くなっており、これにより
内容物の出し入れが可能な第１の開放位置と、内容物の出し入れが不可能な第２の閉鎖位置の間で内殻がバネ作用によって移動する。
【０００８】
内殻の前部の下方部とこれに対応する外殻の上方部を接続する接続バネによって、これに対応する同じ長さの内殻の上方部と外殻の上方部を接続するバネと比べて、内容物の出し入れが格段に容易になる。バネ作用も、特に上述したＧｅｒｏによる従来の提案と比べると、改良されている。
【０００９】
本発明のある実施態様において、パケットが閉鎖位置にあるとき、第１ヒンジの第３ヒンジからの間隔は、パックの頂部から第３ヒンジまでの間隔に比べて小さい。第１ヒンジの第３ヒンジからの間隔は、第２ヒンジの第３ヒンジからの間隔に比べて小さくてもよい。第１ヒンジは内殻の前壁の下方部分にあってもよい。この前壁はヒンジと分離していてもよい。
【００１０】
ある実施態様における本パケットは２つのブランクで形成される。この実施態様では、バネ部材および内殻の前壁が１つのブランクで形成され、外殻および内殻のその他の壁部は別のブランクで形成される。しかしながら、以下に述べるよう実施態様では１つ、２つ、または３つのブランクを含んでもよい。
【００１１】
ある実施態様では外殻の前壁に開口部を配置し、それによって、ユーザが内殻を閉鎖位置から開放位置に移動するために、指で内殻の前壁に触れることができるようにし、その際バネ部材の上方縁部が開口部と底壁の中間に位置する。これによってパケットを片手で開放することができる。
【００１２】
別の実施態様は、外殻の各側壁が窪みを含んでいるため、ユーザは内殻の側壁を掴んで外殻から内殻を取り出すことができる。または窪みを外殻の頂壁に設けてもよい。
【００１３】
バネ部材の長さは、内殻が、開放位置にあるとき、外殻に対して約５度から約１８０度の範囲の角度になるような長さでもよい。バネ部材の長さは開放位置にあるとき、内殻が外殻に対して４０度から９０度、または２０度から４０度の範囲の角度になるような長さでもよい。パケットをこのような角度まで開放すると内容物の出し入れが容易になる。開放する角度はパケットの内容物の列数にも一部関係する。２列の内容物を収容するパケットは、バネ部材の長さが同等であれば、３列の内容物を収容するパケットよりも大きな角度まで開放することができる。
【００１４】
本パケットの好ましい実施態様では、外殻は、パケットが閉鎖位置にあるとき、内殻の頂部に滑り嵌合する頂壁を有する。内殻の頂部は頂壁によって形成されてもよい。外殻を内殻の上方に持ち上げるためにバネ部材を配置し、その開放位置から閉鎖位置にバネ部材によって動かされたとき、この外殻の頂壁が内殻の頂部に嵌合できるようにする。外殻が、バネ部材によって内殻の上方に持ち上げられるようにするために、内殻の側壁を内壁の後壁よりごく僅かな分Ｘだけ短くし、後壁部分の長さＸを第３ヒンジに隣接して設ける。Ｘの長さは、使用するとき、バネ部材が外殻の底壁を内殻の側壁に向かって移動させ、その間の間隙を閉鎖するような長さとする。したがって外殻の頂壁は、内殻の側壁の頂部の上方および内容物（例えば紙巻きタバコの束など）の上方を、これらと衝突することなく移動する。
【００１５】
外殻の底壁と内殻の側壁の間の長さＸがもたらす間隙によって、内殻の底壁または後壁が第３ヒンジに隣接して歪み、これによってこの底壁または後壁が破損するのを防ぐことができる。
【００１６】
バネ部材は、パケット内に応力を生じさせる。応力の大きさは、例えばパケットを歪ませる程度でよい。したがって１つの実施態様では、この第１ヒンジのところにこの内殻の前壁の下方部分の補強部を含む。または、補強しなくても圧力に充分耐え得る強度の材料（例えば厚紙など）でパケットを構成してもよい。
【００１７】
第３ヒンジは、前壁および側壁が直立していない底壁の縁部に位置してもよい。または第３ヒンジが前壁の直立している底壁の縁部およびその反対の位置にある縁部と平行に、しかしそれらの中間に位置しても良い。例えば第３ヒンジが底壁の中央に沿っていてもよい。
【００１８】
第３ヒンジをこの底壁の縁部に配置すると、底壁の中央に沿って配置するよりも、良好なバネ作用が得られる。またパケットの見栄えもよくなると考えられる。
【００１９】
ヒンジを中央に沿って配置することによって、上述したその他の手段を取らなくても外殻は内殻に触れずに通過することができる。
【００２０】
本発明の別の実施態様では、この第１ヒンジはこのバネ部材と、第４のヒンジのところで内殻の前壁にヒンジ式に接続しているその先の部材との間に位置する。
【００２１】
本発明は、本明細書で説明し、特許請求の範囲で請求したパケットに相当するブランクも提供している。本発明は、本明細書で説明し、特許請求の範囲で請求したパケットの製造方法も提供している。
【００２２】
本発明は、例えば紙巻きタバコ、シガリロまたは葉巻などの喫煙品を収容する本発明によるパケットも提供している。
【発明を実施するための最良の形態】
【００２３】
本発明をより深く理解し、これをいかに実行に移すかを示すため、添付図面を参照した例に基づいて説明する。
〔例１〕
【００２４】
図１Ａおよび図２は、本発明によるパケットの第１の例を示す。図１のパケットは紙巻きタバコを収容するためのものである。
【００２５】
以下の説明および請求項において、パケットは、頂部、底部、前部、後部、右部、左部、上方部および下方部などの用語を用いて説明される。これらの用語は、図１Ａに示すように、通常パケットを使用するときの配向にあるパケット、および矢印Ａの方向から外殻の本体（前）壁１を見たときのパケットについてのものである。
【００２６】
パケットは外殻「Ｏ」と、内殻「Ｉ」とを含む。外殻は、パケットを閉鎖したとき内殻を含むための空洞部を形成する。内殻には紙巻きタバコが収容されている。内殻および外殻はバネ部材１２によって接続され、このバネは、閉鎖位置にあるとき内殻が外殻の内部に安定して保持され、開放位置にあるとき外殻から出て安定して保持されるが、移動の際は、部材１２のバネ作用によって開放位置と閉鎖位置の間を弾かれて移動するように、配置されている。
【００２７】
外殻は、開口部２を有する前壁１と、左および右側壁の３Ｌおよび３Ｒと、底壁４Ｂと、頂壁４Ｔとを含む。側壁および前壁は、底壁の縁部の３つのうちのそれぞれから直立している。４つ目の縁部は内殻と接続している。
【００２８】
内殻は、前壁１１と、左右の側壁８Ｌおよび８Ｒと、頂壁９と、後壁７とを含む。内殻の後壁は、ヒンジＨ３のところで、外殻の底壁４Ｂの４つ目の縁部に沿って、外殻に対してヒンジ式に取り付けられている。
【００２９】
バネ部材１２は、ヒンジＨ２のところで、外殻の前壁１の内面とヒンジ式に接続している。ヒンジＨ２は、開口部２の真下にある。バネ部材１２は、ヒンジＨ３の上方のヒンジＨ１のところで、内殻の前壁１１の下方部とヒンジ式に接続している。
【００３０】
図１Ｂは、ヒンジＨ２のヒンジＨ１からの間隔をｒ１、ヒンジＨ１のヒンジＨ３からの間隔をｒ２、ヒンジＨ２のヒンジＨ３からの間隔をｄとした場合、ｒ１＋ｒ２＞ｄであることを示している。内殻が閉鎖位置および開放位置にあるとき、これらヒンジは位置Ｐ１およびＰ２に配置される。このＰ１およびＰ２の位置間で、バネ部材１２に応力が加わり、これによって最初このバネは安定した位置Ｐ１またはＰ２から中間の位置へ出発する動きに抵抗するが、最終的には、中間位置からもう一方の安定位置に弾かれて移動する。さらに説明すると、ヒンジＨ３は固定されており、ヒンジＨ１はＨ３から固定距離ｒ２に位置すると仮定する。Ｐ１からＰ２の位置へ移動するヒンジＨ２の場合、このヒンジはＨ１を中心に半径ｒ１で回転しなければならない。したがって、もしバネ部材が剛性を有するものであれば、Ｈ２は円弧Ｐ１２を描くが、実際はＨ３を中心に半径ｄの円弧Ｈ１２を描く。Ｐ１２とＨ１２の違いは、バネ作用を生じるバネ１２の変形具合による。
【００３１】
図１Ａが示すように、ヒンジＨ１は内殻の前壁１１の下方部にある。図１Ｃは、ヒンジＨ３からの位置におけるバネ部材のヒンジＨ１の歪みの効果を表す。図１Ｃが示すように、Ｈ１からＨ２までを半径ｒ１１とした場合、Ｈ１をＨ３に近づけて配置するほど、バネ部材の歪み度Ｓが大きくなる。これはＨ３に対してＨ１がｒ２１にある場合の曲げ度Ｓと、Ｈ１がｒ２２にある場合のより小さな曲げ度Ｓ´とを比べれば明らかである。このように本発明の実施態様では、Ｇｅｒｏの提案に係る特許文献３に比べて、バネ作用が改良されている。
【００３２】
図１Ｄは、ヒンジＨ２のＨ１からの距離、すなわちヒンジＨ３からヒンジＨ１が一定距離ｒ２１の場合のバネ部材１２の長さの効果を実証する。この図は、ａ）ヒンジＨ２がＨ１と短い半径ｒ１１の分離れている、ｂ）ヒンジＨ２がＨ１と長い半径ｒ１２の分離れている場合を示す。まず殻の開放角度が、半径ｒ１２ではかなり大きくなっている（ｒ１１と比べると）。次に、バネの長さの割合としてのバネの歪みは、小さいが、スナップ作用は良好である。このように本発明の実施態様では、Ｇｅｒｏの提案と比べて出し入れは改良し、一方で改良型スナップ作用は維持されている。
【００３３】
内殻は閉鎖位置にあるとき外殻に収容され、その前壁１１は外殻の前壁１と当接し、開口部２を塞ぐ。開口部２によって、ユーザは例えば親指と中指で外殻の側壁３Ｌと３Ｒを掴み、人差し指で内殻の前壁１１を押し、上述のようにバネの作用で内殻を開放することができる。このようにパケットは片手で開放することができる。
【００３４】
本例では、当業界で周知のように、３列の内容物が保護包装紙に包まれた束の状態で収容されている。この例では、この束は底部を外殻の底壁に保持されて内殻に収容されている。紙巻きタバコの出し入れは、内殻が開放位置にあるとき、内殻の前壁１１、頂壁９および側壁８で形成された開口部Ｂから行う。開口部は一般に外殻Ｏに対して内側に向いており、内殻および外殻が閉鎖位置にあるとき、束を保護するようになっている。この例では内殻は外殻に対して２０度から４０度の範囲の角度まで開放されるが、ユーザが紙巻きタバコを出し入れするためには２５度から３５度、例えば３０度が好ましい。しかしながら他の例では、約５度から１８０度の範囲で開放が可能である。
【００３５】
図示の例では、閉鎖位置にあるとき、内殻Ｉの頂壁９が外殻の頂壁の真下に滑り嵌合し、内殻の頂壁９の外殻の底壁４Ｂからの間隔は、外殻の頂壁４Ｔの底壁４Ｂからの間隔とほぼ等しい。さらに頂壁９の底壁４Ｂからの間隔は、パケット内に隙間がなく紙巻きタバコの束をしっかりと保持できるように、紙巻きタバコの束の高さにほぼ等しい。その結果図１Ｅが示すように、内殻が開放位置から閉鎖位置に移動する際、外殻の頂壁の先行縁部は内殻に収容されている紙巻きタバコの束全体の頂部を、理論上、通過しないはずである。内殻は、好適な寸法のバネ１２を使って、閉鎖位置に移動するとき外殻を内殻の頂壁の上方に持ち上げて束を越えることが分かっている。これは、例えば内殻の側壁８Ｒおよび８Ｌを僅かな分Ｘだけ（図１Ａ参照）、内殻の後壁７よりも短く作製することによって達成される。僅かな分Ｘによって、後壁７はヒンジＨ３の領域で、底壁４Ｂに隣接して歪む（または底壁が後壁に隣接して歪む）ことができ、これによってバネ１２が外殻Ｏを内殻の頂壁９の上方に充分に持ち上げることができる。内殻および／または外殻をヒンジＨ３に隣接して充分歪ませることができるその他の方法について、以下に説明する。
【００３６】
図1および図２のパケットは、当業界ではよく知られているように厚紙で製せられる。図１Ａのパケットは１つ、２つまたは３つのブランクで製造することが可能だが、本例では図３および図４が示すように２つのブランクＢ１およびＢ２で製造している。実線は切れ目、破線は折り目（折り目をつけても、ミシン目を入れてもよい）を表し、一点鎖線はミシン目を表す。バネ１２を含むブランクＢ２の今現在好ましい木目または繊維の配向を二重矢印で示す。
【００３７】
図３において、ブランクＢ１は開口部を含む前壁１を含み、この前壁は外殻Ｏの側壁３Ｒおよび３Ｌ、頂壁４Ｔおよび底壁４Ｂと一体になっている。頂壁４Ｔは側部タブ５ａおよび５ｂと一体になっており、底壁は側部タブ６ａおよび６ｂと一体になっている。側壁、頂壁および底壁は折り目を介して前壁１と一体になっている。タブは折り目を介して頂壁および後壁と一体になっている。ブランクＢ１もまた内殻Ｉの後壁７と、側壁８Ｒおよび８Ｌと、頂壁９とを含む。内殻の側壁８Ｒおよび８Ｌおよび頂壁９は、折り目を介して後壁７と一体になっている。後壁７は折り目を介して外殻の底壁４Ｂと一体となっている。側壁８Ｒおよび８Ｌは折り目を介して、タブ１０ａおよび１０ｂと一体となっている。
【００３８】
ブランクＢ２は内殻の前壁１１を含み、ヒンジＨ１を介してバネ部材１２と一体になっている。バネ部材はフラップ１３と一体であり、ヒンジＨ２のところでこのフラップに対してヒンジ式に取り付けられている。フラップ１４Ｒおよび１４Ｌは前壁１１の側縁部と一体になっている。フラップ１４Ｒおよび１４Ｌの長さは、これに対応する部分の８Ｒおよび８Ｌと等しい、または僅かに短くし、これによってヒンジＨ３に隣接する後壁を歪ませるための領域Ｘをもたらし、バネ１２が外殻Ｏを内殻Ｉの上方に持ち上げられるようにし、フラップ１４Ｒおよび１４Ｌはフラップ８Ｒおよび８Ｌの長さを越えないように、特に底壁４Ｂに隣接するフラップ８Ｒおよび８Ｌの縁部に重ならないようにする。
【００３９】
好ましい例では、パケットを組み立てるときブランクＢ２を厚紙のリールから切り取る。ブランクの１つの端部がもう一方の端部に一致するようにし、リールから連続したブランクが無駄なく切り取れるようにすることが望ましい。
【００４０】
ブランクＢ１は、組み立て開始前に予め切り取っておいてもよい。
【００４１】
ブランクＢ１およびＢ２を用いた図１Ａのパケットの製造工程の１つの例を、図６Ａから６Ｆを参照しながら以下に示す。その他の方法でパケットを製造することができることを理解されたい。
【００４２】
保護包装紙を含む紙巻きタバコの束を作製する。これを段階Ｓ１とする。またブランクＢ２をリールから切り取り、これを段階Ｓ２とする。ブランクＢ２の左右のフラップ１４Ｒおよび１４Ｌを９０度まで折り曲げ、これを段階Ｓ３および図６Ｂとする。バネ部材１２をそのフラップ１３と共にヒンジＨ１で１８０度まで折り曲げ、これを段階Ｓ４および図６Ｃとする。次に、折ったブランクＢ２に束を挿入するが、これを段階Ｓ５とする。判りやすくするため、図６Ｃから図６Ｆでは束を図示していない。
【００４３】
ブランクＢ１は、このように予め切り取ったブランクの束から供給される。ヒンジ線Ｈ３は、ブランクＢ２のフラップ１４Ｒおよび１４Ｌの底縁部に隣接して配置され、壁部１およびそこに取り付けられているフラップおよびタブは、図６Ｄが示すように、フラップ１４Ｒおよび１４Ｌの底縁部を越えて延びている。フラップ８Ｒおよび８Ｌを、紙巻きタバコの束の側部を囲むように、折り目Ｆ８およびＦ９で９０度まで折り曲げるが、これを段階Ｓ６とする。フラップ８Ｒおよび８Ｌをこの段階でフラップ１４と糊付けする。
【００４４】
次に、段階Ｓ７では、タブ１０ａおよび１０ｂを９０度まで折り曲げ、内殻の頂壁９をタブ上に位置するように９０度まで折り曲げ、内殻の頂壁を形成する。この段階でフラップ９をタブ１０に糊付けする。
【００４５】
次に、外殻の前壁１をそれに取り付けられたフラップ３Ｌ、３Ｒ、４Ｔ、４Ｂおよびそのタブ５ａ、５ｂ、６ａおよび６ｂと共に、ヒンジ線Ｈ３で９０度まで折り曲げ、これを段階Ｓ８および図６Ｅとする。このように底壁４Ｂが適切に配置される。その後壁部１をそのフラップ３Ｌ、３Ｒ、４Ｔおよびタブ５ａおよび５ｂと共に折り目Ｆ６で９０度まで折り曲げ、これを段階Ｓ９および６Ｅとする。その結果、バネ部材１２が内殻の前壁１と外殻の前壁１１との間に閉じ込められる。バネ部材のフラップ１３を壁部１に糊付けする。
【００４６】
段階Ｓ１１では外殻の頂壁４Ｔをそのタブ５ａおよび５ｂと共に折り目Ｆ７で９０度まで折り曲げ、その頂壁を正しい位置に配置する。図６Ｅを参照のこと。
【００４７】
図６Ｆに示すように、段階Ｓ１２では、タブ５ａおよび５ｂならびに６ａおよび６ｂを、折り目Ｆ８´およびＦ９´で９０度まで折り曲げ、且つ段階Ｓ１２´では側面フラップ３Ｌおよび３Ｒを折り目Ｆ８およびＦ９で９０度まで折り曲げ、タブ５ａおよび５ｂ、ならびに６ａおよび６ｂ上に位置させる。フラップ３をこの段階でタブ５に接着する。
【００４８】
接着剤を本工程の適当な段階でフラップとタブに塗布することは当業界で周知である。例えば工程の初期段階で、接着剤を少なくともブランクの一部に塗布してもよい。工程の進行中に接着剤を塗布してもよい。
〔例２〕
【００４９】
例1において内殻Ｉは、外殻Ｏの底壁４Ｂの縁部に対してヒンジ式に取り付けられた内殻の後壁の底縁部によって、外殻に対してヒンジ式に取り付けられている。この例２が例１と異なるのは、外殻が、内殻の後壁７および外殻の前壁１と平行なヒンジＨ３´のところで内殻に対してヒンジ式に取り付けられ、且つ、このヒンジＨ３´が底壁４Ｂの両縁部の中間に位置する点である。
【００５０】
図５に示すブランクＢ１´は、図３のブランクＢ１と以下の点についてのみ異なる。底壁４Ｂは、その中央に沿って、内殻の後壁７および外殻の前壁１の底縁部に平行なヒンジＨ３´を有する。図３の側部タブ６ａおよび６ｂが、タブ６１ａから６１ｄに置き換えられており、その右手側のタブ６１ｂおよびｃは、ヒンジＨ３と同一線上の切れ目によって分かれている。左手側のタブ６１ａおよびｄも同様に分かれている。タブ６１ｃおよび６１ｄは折り目によって底壁４Ｂの側縁部と接続し、切れ目によって側壁３Ｒおよび３Ｌと分かれている。タブ６１ｂおよび６１ａは側壁８Ｒおよび８Ｌと折り目によって接続しており、底壁４Ｂからは切れ目によって分かれている。本実施態様では、パケットが直立したとき、紙巻きタバコの束はタブ６１ａおよび６１ｂによって支持される。
【００５１】
図５が示すように、ブランクＢ２´は、図４のブランクＢ２と僅かな点で異なるが、実質的には同じである。
〔例３〕
【００５２】
図７から図１１は例３を示す。
【００５３】
図７から図１０において、図１から図５と同様の部品については、同じ参照符号を使用している。例３の構造及び機能は例１とほぼ同様であるため、詳細については説明しないが、代わりに例１と異なる点について説明する。本例では紙巻きタバコは例１のように３列ではなく、２列に配されている。ただし３列にすることも可能である。
【００５４】
例３が例１および例２と異なる主な点は、バネ部材１２が長いため内殻を外殻に対して４０度以上、本例では９０度を僅かに下回る角度まで、充分開放できる点である。外殻の前壁１は開口部２を有さない。その代わりに側壁３Ｌおよび３Ｒが窪みＲｒおよびＲｌを有し、これによってユーザは内殻の側壁８Ｒおよび８Ｌを掴んでパケットを開放することができる。またはこのような窪みを頂壁４Ｔに設けてもよい。
【００５５】
図７の例では、内殻がヒンジＨ１でバネ部材１２にヒンジ式に接続している前壁１１の領域に、バネ部材１２の大きさによって補強が必要となるような重量の厚紙で、パケットを製造することを想定している。そうしないと前壁１１が歪んでしまうことが分かっている。このような歪みによって紙巻きタバコを傷つける恐れがある。より重量のある厚紙を用いれば、こうした補強が必要ないこともある。
【００５６】
図９に最も判りやすく示すように、上記補強がヒンジＨ１に隣接した位置で、内殻の前壁１１と接着されている補強部材１３２によって設けられている。本例において補強部材１３２は、ヒンジＨ１と前壁１１の下方縁部と間に位置する。
【００５７】
図７および図９が示すように、補強部材１３２はブランクＢ２´´の部分１３２（補強部材となる）を折り目Ｆ５に沿って折り返し、この部分１３２を前壁１１に接着することによって設けられる。
【００５８】
図７および図１０が示すように、例３の１つの変型例において、フラップ１３は外殻Ｏの前壁１の内表面に接着され、ヒンジＨ２から頂壁４Ｔまで延びている。バネ部材１２は、開放位置にあるとき時々凹状に撓んで、すなわち図１０の１３１に示される形状となって、パケットを開放位置に係止することが分かっている。
【００５９】
例３の別の変型例では、図１０の１３´が示すように、フラップ１３が頂壁から離れてヒンジＨ２から延びている。このようにバネ部材１２は１３１´が示すように凸状に撓むため、開放位置で係止される状態をより確実に減らすことが分かっている。
【００６０】
頂壁から離れて延びるこの種のフラップ１３´を例１および例２に用いてもよい。
【００６１】
例３のブランク
例３のパケットは、２つのブランクＢ１´´（図８）およびＢ２´´（図９）を含み、これらは図３および図４のブランクＢ１およびＢ２に対応する。
【００６２】
図８において、ブランクＢ´´がブランクＢ１と異なるのは（全体の寸法は別に）、ブランクＢ´´がパケットを開放するために、開口部２の代わりに、側壁３Ｒおよび３Ｌに窪みＲｒおよびＲｌを有する点のみである。
【００６３】
図９に示すブランクＢ２´´が、これに対応するブランクＢ２と異なる点は、以下のとおりである。
【００６４】
ブランクＢ２´´では、前壁１１は、部材１３２と一体になって、折り目Ｆ５を介して接合している。部材１３２は、バネ部材１２と一体になって、ヒンジＨ１を介して接合している。部材１２は、フラップ１３と一体になって、ヒンジＨ２を介して接合している。前壁１１は側部フラップ１４Ｒおよび１４Ｌを有する。これらのフラップは補助フラップ１８ａおよび１８ｂと一体であり、このフラップ１８ａおよびｂは、折り目Ｆ５に隣接し、且つ平行であるその端部で、フラップ１４Ｒおよび１４Ｌと接合している。フラップ１８ａおよびｂは部材１２および１３２と切れ目を介して分かれている。フラップ１４Ｒおよび１４Ｌと壁部１１との間の折り目は、例えばミシン目を入れるなどして折り易くしておくことが好ましい。部材１３２および壁部１１間の折り目Ｆ５はミシン目などで折り易くしておくことが好ましい。ヒンジＨ１およびＨ２はミシン目などで折り易くしておくことが好ましい。
【００６５】
ブランクＢ２´´は、ブランクＢ２と同様にリールから切り取ることが好ましい。フラップ１８ａおよびｂは、紙巻きタバコのパケットを組み立てる際、ブランクＢ２´´を紙巻きタバコの束に対して配置するとき、および束とブランクをブランクＢ１´´に対して配置するのに有用である。
〔例４−図１２〕
【００６６】
図１２Ａは、例４におけるパケットの内殻Ｉおよびバネ部材１２の側面図である。図１２Ａの内殻Ｉおよびバネ部材１２は、図７から図１０の内殻およびバネ部材と、部材１３２が内殻の前壁１１に接着されていない点を除き、同一である。このように例４ではＨ１、Ｈ２、Ｈ３およびＨ４の４つのヒンジを有する。ヒンジＨ１、Ｈ２、およびＨ３は例１、例２および例３で参照したものと同一である。ヒンジＨ４は、図９の折り目Ｆ５に位置する。ヒンジＨ４の効果は図１２Ｂに示すように、閉鎖位置を出発すると最初、上述したバネ作用が内殻Ｉの前壁に抵抗している部材１３２によって生じ、ヒンジＨ１、２およびＨ３だけが作動する点にある。最終的に、外殻およびバネ部材１２はヒンジＨ４およびＨ３の周囲を旋回し、外殻がバネ作用の制約を受けずに自由に動くことができる。これによって外殻を内殻に対して１８０度以上開放することができる。
〔変更例〕
〔例５−図１３〕
【００６７】
例５は、Ｂ１が２つのブランク、Ｂ１１およびＢ１２に置き換えられている点を除いて例１と同一である。
【００６８】
ブランクＢ１２はフラップ４１Ｂを有し、使用するときはこれをフラップ４Ｂに接着して、図３のブランクに対応する組立て式のブランクを形成する。
【００６９】
図５および図８のブランクも同様に２つのブランクに置き換えられ、これらも使用するときは互いに糊付けされる。
【００７０】
このように合計３つのブランクを設けると、外殻Ｏおよび内殻Ｉは別個に形成することができる。
〔表示および図柄〕
【００７１】
表示および／または図柄を内殻および外殻のいずれの外壁に施してもよい。これに加えてまたはこれとは別に、表示および／または図柄を内殻Ｉの内前壁１１および／またはパケットの開放時に見えるいずれの内表面、例えばバネ部材１２および／または外殻Ｏの前壁１の内表面に施してもよい。
〔内容物〕
【００７２】
本発明によるパケットは、例えば紙巻きタバコ、葉巻およびシガリロなどの喫煙品を収容してもよい。本発明によるパケットは、喫煙品以外の物品を収容してもよい。パケットは例えば鉛筆やクレヨンといった通常細長いその他の円筒状物品を収容することもできる。パケットは通常は細長くない、且つ／または、円筒状でない物品を収容するために用いてもよい。
〔縁部の形状〕
【００７３】
例として説明したパケットはすべて直角の縁部を有する。これは本発明にとって必須ではなく、パケットが少なくとも側壁と前壁および後壁の間に丸い縁部、面取りをした縁部、または楕円形の縁部を有してもよいし、当業界で知られたその他の形状の縁部を有してもよい。
〔変更型ブランク〕
【００７４】
図４および図５のブランクＢ２を図１１に示すブランクＢ２１のように変更してもよい。ブランクＢ２１は図９のフラップ１８ａｂに対応し、同じ目的を果たすフラップ１８´ａおよび１８´ｂを有する。
〔内容物の支持〕
【００７５】
上述したように、紙巻きタバコの束は外殻の底壁に支持されている。しかしながら別の配置では内殻の側壁のフラップが内側に曲がり、束を支持することができる。さらに、外殻が動くからといって束も共に動く必要がないように、包みを内殻の適当な位置に接着してもよい。
【図面の簡単な説明】
【００７６】
【図１Ａ】本発明によるパケットの第１の例の略透視図である。
【図１Ｂ】図１のパケットのバネ部材の作用の原理と効果を示す。
【図１Ｃ】図１のパケットのバネ部材の作用の原理と効果を示す。
【図１Ｄ】図１のパケットのバネ部材の作用の原理と効果を示す。
【図１Ｅ】図１のパケットのバネ部材の作用の原理と効果を示す。
【図２】図１のパケットの側面図である。
【図３】図１のパケットの形成に用いるブランクの平面図である。
【図４】図１のパケットの形成に用いるブランクの平面図である。
【図５】図１のパケットの変形例の形成に用いるブランクの平面図である。
【図６Ａ】図３および図４のブランクから第１の例を製造する際の段階を示す。
【図６Ｂ】図３および図４のブランクから第１の例を製造する際の段階を示す。
【図６Ｃ】図３および図４のブランクから第１の例を製造する際の段階を示す。
【図６Ｄ】図３および図４のブランクから第１の例を製造する際の段階を示す。
【図６Ｅ】図３および図４のブランクから第１の例を製造する際の段階を示す。
【図６Ｆ】図３および図４のブランクから第１の例を製造する際の段階を示す。
【図７】本発明による第２の例の略透視図である。
【図８】図７のパケットの形成に用いるブランクの平面図である。
【図９】図７のパケットの形成に用いるブランクの平面図である。
【図１０】図７のパケットで折り畳んで用いられている図８のブランクの側面図である。
【図１１】図４のブランクＢ２の変形例を示す。
【図１２Ａ】本発明によるパケットの第３の例を提供する、図７から図１１までのパケットの変形例を示す。
【図１２Ｂ】本発明によるパケットの第３の例を提供する、図７から図１１までのパケットの変形例を示す。
【図１３】図３、図５または図８のブランクの変形例の平面図である。
【図１Ａ】
2008522910.tif 000002
【図１Ｂ】
2008522910.tif 000003
【図１Ｃ】
2008522910.tif 000004
【図１Ｄ】
2008522910.tif 000005
【図１Ｅ】
2008522910.tif 000006
【図２】
2008522910.tif 000007
【図３】
2008522910.tif 000008
【図４】
2008522910.tif 000009
【図５】
2008522910.tif 000010
【図６Ａ】
2008522910.tif 000011
【図６Ｂ】
2008522910.tif 000012
【図６Ｃ】
2008522910.tif 000013
【図６Ｄ】
2008522910.tif 000014
【図６Ｅ】
2008522910.tif 000015
【図６Ｆ】
2008522910.tif 000016
【図７】
2008522910.tif 000017
【図８】
2008522910.tif 000018
【図９】
2008522910.tif 000019
【図１０】
2008522910.tif 000020
【図１１】
2008522910.tif 000021
【図１２Ａ】
2008522910.tif 000022
【図１２Ｂ】
2008522910.tif 000023
【図１３】
2008522910.tif 000024
【国際調査報告】
2008522910.tif 000025
2008522910.tif 000026
2008522910.tif 000027
2008522910.tif 000028